(57)【要約】【課題】  機器を設置環境の設置面に対して容易にかつ精度良く水平に設置することができる水平度計測器を提供する。【解決手段】  本発明の水平度計測器１は、水平に配置される筐体２と、該筐体２の下面に少なくとも垂直方向で回転自在となるように取り付けられ、同じないし略同じ長さを有する四本の足部４ａ，４ｂ，４ｃ，４ｄと、筐体２に対する各足部４ａ，４ｂ，４ｃ，４ｄの垂直方向の傾斜角を検出するための検出部としてのエンコーダ７ａ，７ｂ，７ｃ，７ｄと、傾斜角と各足部４ａ，４ｂ，４ｃ，４ｄの長さとの関係から、各足部４ａ，４ｂ，４ｃ，４ｄの先端４ｅと筐体２との高さの値を算出し、算出した各高さの値の差分を計算するための演算部９と、該演算部９によって計算された結果を表示するための表示部１０ａ，１０ｂ，１０ｃ，１０ｄとを備える。【選択図】図１
2012088143.tif 000002
【特許請求の範囲】
【請求項１】
機器を設置面に水平に設置するに際し、該設置面の水平度を事前に把握するための水平度計測器であって、水平に配置される筐体と、該筐体の下面に少なくとも垂直方向で回転自在となるように取り付けられ、同じないし略同じ長さを有する四本の足部と、前記筐体に対する各足部の垂直方向の傾斜角を検出するための検出部と、前記傾斜角と各足部の長さとの関係から、各足部の先端と前記筐体との高さの値を算出し、算出した各高さの差分を計算するための演算部と、該演算部によって計算された結果を表示するための表示部とを備えることを特徴とする水平度計測器。
【請求項２】
前記筐体は、上面の中心の位置に取り付けられた水平保持手段を備えていることを特徴とする請求項１に記載の水平度計測器。
【請求項３】
前記筐体は、水平状態を把握するための水準器を備えていることを特徴とする請求項１に記載の水平度計測器。
【請求項４】
前記四本の足部は、前記筐体の下面に回転可能に支持された第一部分と、該第一部分に伸縮自在に接続された第二部分とを備え、同じないし略同じ長さになるように伸縮することを特徴とする請求項１に記載の水平度計測器。
【発明の詳細な説明】
【技術分野】
【０００１】
本発明は、機器を設置面に水平に設置するに際し、該設置面の水平度を事前に把握するための水平度計測器に関する。
【背景技術】
【０００２】
従来、通信装置等の機器を設置面へ設置する作業においては、例えば、機器を構成する電子回路等の精密機器を設置面に対して水平に保つために、機器の筐体を手等で担持し、機器の上部や設置面に水準器を当てた状態で、機器と設置面とを固定する箇所近傍へ金属板を施設することで、機器を設置面に対して水平に設置している。
【０００３】
より具体的には、この種の機器においては、コンクリート等の基礎面上に設置されたフレーム上に設置されるようになっており、機器をフレームに設置する場合、機器の筐体を手等で担持し、水準器を見ながら機器とフレームとのある高さの値を基準として、基準の高さの値を有する箇所とは別の高さを有する箇所に、その高さの値との差分に対応する金属板を重ね合わせることで、機器をフレーム（設置面）に対して水平に保つようにしている。
【先行技術文献】
【特許文献】
【０００４】
【特許文献１】特開２００７−２９５６６２号公報
【発明の概要】
【発明が解決しようとする課題】
【０００５】
ところで、この種の機器を設置面に設置する場合、機器と設置面とを固定する箇所近傍へ重ね合わせる金属板の最適な組み合わせは、異なる厚さ又は同じ厚さの金属板の種類と枚数に応じて決定される。また、機器の設置環境のどの箇所へ必要な種類と枚数の金属板を施設するかは、長年の経験を必要とするとともに、目測で水準器の角度を変えながら機器と設置面との高さを測定し、基準の高さの値を有する箇所と、別の高さを有する箇所との高さの値の差分に対応する必要な種類と枚数の金属板を組み合わせて施設する試行を繰り返して決定されることが必要であった。このため、機器の設置作業が煩雑になるという問題があった。また、目測で水準器の角度を変えながら機器と設置面との高さを測定するため、機器を設置面に対して精度良く水平に設置することが難しいという問題があった。
【０００６】
そこで、本発明は、斯かる実情に鑑み、機器を設置環境の設置面に対して容易にかつ精度良く水平に設置することができる水平度計測器を提供することを課題とする。
【課題を解決するための手段】
【０００７】
本発明にかかる水平度計測器は、機器を設置面に水平に設置するに際し、該設置面の水平度を事前に把握するための水平度計測器であって、水平に配置される筐体と、該筐体の下面に少なくとも垂直方向で回転自在となるように取り付けられ、同じないし略同じ長さを有する四本の足部と、前記筐体に対する各足部の垂直方向の傾斜角を検出するための検出部と、前記傾斜角と各足部の長さとの関係から、各足部の先端と前記筐体との高さの値を算出し、算出した各高さの差分を計算するための演算部と、該演算部によって計算された結果を表示するための表示部とを備えることを特徴とする。
【０００８】
上記構成の水平度計測器によれば、水平に配置される筐体の下面に少なくとも垂直方向で回転自在となるように取り付けられ、同じないし略同じ長さを有する四本の足部を垂直方向に回転させて各足部の先端を設置面に載置することで、検出部が各足部と前記筐体との垂直方向の傾斜角を検出して演算部に出力し、演算部が傾斜角と各足部の長さとの関係から、各足部の先端と前記筐体との高さの値を算出し、ある高さの値の足部を基準として、それ以外の足部との高さの差分を計算する。そして、表示部が、演算部によって計算された結果を表示する。この計算結果に基づいて、足部の先端に異なる厚さ又は同じ厚さの金属板を重ね合わせることで、機器を設置面に設置する。このような構成によって、機器を設置面に水平に設置するために、長年の経験を必要とせず、また、目測で水準器の角度を変えながら機器と設置面との高さを測定し、必要な種類と枚数の金属板を組み合わせて施設する必要がない。これにより、機器を設置環境の設置面に対して容易にかつ精度良く水平に設置することができる。
【０００９】
また、本発明にかかる水平度計測器において、前記筐体は、上面の中心の位置に取り付けられた水平保持手段を備えていることが好ましい。
【００１０】
上記構成によって、水平保持手段が筐体の上面の中心の位置に取り付けられているため、水平保持手段を担持するだけで筐体を常に水平に配置することができる。
【００１１】
また、本発明の他の態様において、前記筐体は、水平状態を把握するための水準器を備えていることが好ましい。
【００１２】
上記構成によって、水準器が筐体に取り付けられているため、筐体を手等で担持した態様で、水準器を用いて筐体を常に水平に配置することができる。
【００１３】
また、本発明の他の態様において、四本の足部は、筐体の下面に回転可能に支持された第一部分と、該第一部分に伸縮自在に接続された第二部分とを備え、同じないし略同じ長さになるように伸縮する構成を採用することができる。
【００１４】
上記構成によって、各足部は、筐体に対して回転可能であると共に、伸縮自在に形成されている。このため、機器を設置する設置環境に応じて各足部を伸縮させることで、多様な設置環境に対応することが可能となり、機器を水平に設置することができる環境を増加させることができる。
【発明の効果】
【００１５】
以上のように、本発明の水平度計測器は、機器を設置環境の設置面に対して容易にかつ精度良く水平に設置することができるといった優れた効果を奏し得る。
【図面の簡単な説明】
【００１６】
【図１】本発明の第一実施形態にかかる水平度計測器の全体斜視図である。
【図２】同実施形態にかかる水平度計測器の部分断面図であって、（ａ）は、該水平度計測器の筐体の内部構造を示す図、（ｂ）は、該水平度計測器の下面に設けられたスリット部を示す図である。
【図３】同実施形態にかかる水平度計測器の構成を示すブロック図である。
【図４】本発明の第二実施形態にかかる水平度計測器の全体斜視図である。
【図５】同実施形態にかかる水平度計測器の足部の内部構造を示す部分拡大図である。
【発明を実施するための形態】
【００１７】
以下、本発明の一実施形態にかかる水平度計測器の構成について、添付図面を参照して説明する。
【００１８】
（第一実施形態）
本実施形態にかかる水平度計測器１は、図１に示すように、水平に配置される計測器本体（以下、筐体という）２と、筐体２の重心を取るように上面２ａの中心Ｏの位置に取り付けられた水平保持手段としての第一紐体３と、筐体２の下面２ｂに回転自在に取り付けられた四本の足部４ａ，４ｂ，４ｃ，４ｄと、を備える。なお、足部４ｄは、筐体２の上面２ａの中心Ｏに対して足部４ｂと対称となる位置(図面の奥側)に配置されている。
【００１９】
より具体的には、筐体２は、図１、図２（ａ）及び図３に示すように、水平方向に回転自在かつ各足部４ａ，４ｂ，４ｃ，４ｄを垂直方向に回転自在に支持するように下面２ａに貫設されたヒンジ部５ａ，５ｂ，５ｃ，５ｄと、筐体２の内部で筐体２の下面２ｂに対向するように配設され一端側でヒンジ部５ａ，５ｂ，５ｃ，５ｄに固定されるプレート部６ａ，６ｂ，６ｃ，６ｄと、プレート部６ａ，６ｂ，６ｃ，６ｄの他端側に固定されるとともに、各足部４ａ，４ｂ，４ｃ，４ｄと接続するための第二紐体８ａ，８ｂ，８ｃ，８ｄを巻回し、筐体２に対する各足部４ａ，４ｂ，４ｃ，４ｄの垂直方向の傾斜角（各足部４ａ，４ｂ，４ｃ，４ｄと筐体２との交差角）を検出するための検出部としてのエンコーダ７ａ，７ｂ，７ｃ，７ｄと、を備える。なお、図２（ａ）中では、足部４ａに関連する筐体２の内部構成について示すが、図１に示す足部４ｂ，４ｃ，４ｄに関連する筐体２の内部構成についても、足部４ａと同様の構成を備えている。
【００２０】
また、筐体２は、エンコーダ７ａ，７ｂ，７ｃ，７ｄによって検出された傾斜角と各足部４ａ，４ｂ，４ｃ，４ｄの長さとの関係から、各足部４ａ，４ｂ，４ｃ，４ｄの先端４ｅと筐体２との高さの値（各足部４ａ，４ｂ，４ｃ，４ｄの先端４ｅから筐体２の下面２ｂまでの距離）を算出し、算出した各高さの値の差分を計算するための演算部９を備える。さらに、筐体２は、演算部９によって計算された各高さの値の差分を表示するために、上面２ａの四隅のそれぞれに表示部１０ａ，１０ｂ，１０ｃ，１０ｄを備える。
【００２１】
また、筐体２は、図１に示すように、水平度計測器１を起動するためのスタートボタン１１と、図２に示すように、下面２ｂの四隅のそれぞれに、足部４ａ，４ｂ，４ｃ，４ｄが水平方向に移動するのに伴って、第二紐体８ａ，８ｂ，８ｃ，８ｄが移動するための円弧状のスリット部１２ａ、１２ｂ、１２ｃ、１２ｄ(図２（ｂ）中ではスリット部１２ａを示す)を備える。
【００２２】
各足部４ａ，４ｂ，４ｃ，４ｄは、同じ長さになるように形成されており、上述の各ヒンジ部５ａ，５ｂ，５ｃ，５ｄを介して筐体２に接続されている。また、本実施形態では、足部４ａ，４ｃは、筐体２の上面２ａの中心Ｏに対して点対称になるように配置されていると共に、足部４ｂ，４ｄは、筐体２の上面２ａの中心Ｏに対して点対称になるように配置されている。
【００２３】
上述のように、各プレート部６ａ，６ｂ，６ｃ，６ｄの一端は、各ヒンジ部５ａ，５ｂ，５ｃ，５ｄの一端側で固定され、他端側でエンコーダ７ａ，７ｂ，７ｃ，７ｄを支持する。また、プレート部６ａ，６ｂ，６ｃ，６ｄは、ヒンジ５ａ，５ｂ，５ｃ，５ｄの水平方向の回転に同期して回転するように形成されている。
【００２４】
エンコーダ７ａ，７ｂ，７ｃ，７ｄは、各足部４ａ，４ｂ，４ｃ，４ｄのそれぞれに接続された前述の各第二紐体８ａ，８ｂ，８ｃ，８ｄが、各足部４ａ，４ｂ，４ｃ，４ｄの移動に伴ってエンコーダ７ａ，７ｂ，７ｃ，７ｄから引き出された引き出し量により、筐体２に対する各足部４ａ，４ｂ，４ｃ，４ｄの垂直方向の傾斜角を検出し、検出した傾斜角の値を演算部９に出力する。
【００２５】
演算部９は、エンコーダ７ａ，７ｂ，７ｃ，７ｄから出力された筐体２に対する各足４ａ，４ｂ，４ｃ，４ｄの垂直方向の傾斜角と、各足部４ａ，４ｂ，４ｃ，４ｄの長さとの正弦関数を用いて、各足部４ａ，４ｂ，４ｃ，４ｄと筐体２との各高さの値（各足部４ａ，４ｂ，４ｃ，４ｄの先端４ｅから筐体２の下面２ｂまでの距離）を算出する。
【００２６】
また、演算部９は、各足部４ａ，４ｂ，４ｃ，４ｄと筐体２との各高さが一番小さい値を基準として、高さが一番小さい値と他の各高さの値との差分を計算して、各表示部１０ａ，１０ｂ，１０ｃ，１０ｄのうち、高さが一番小さい値の足部以外の足部の差分を三つの表示部に出力する。
【００２７】
次に、通信装置等の機器を設置面に水平に設置すべく、機器と設置面とを固定する箇所へ金属板を施設するための方法について、図１及び図３を用いて具体的に説明する。
【００２８】
まず、スタートボタン１１を押下し、水平度計測器１を起動させる。そして、水平度計測器１の筐体２の重心を取った第一紐体３を手等で担持して、筐体２を水平に保持する。
【００２９】
次に、ヒンジ部５ａ，５ｂ，５ｃ，５ｄを介して、筐体２に対して各足部４ａ，４ｂ，４ｃ，４ｄを垂直方向又は水平方向に移動させ、各足部４ａ，４ｂ，４ｃ，４ｄの先端４ｅを設置面に載置する。すると、エンコーダ７ａ，７ｂ，７ｃ，７ｄは、各足部４ａ，４ｂ，４ｃ，４ｄの垂直方向又は水平方向の移動に伴って、エンコーダ７ａ，７ｂ，７ｃ，７ｄから引き出された第二紐体８ａ，８ｂ，８ｃ，８ｄの引き出し量から、筐体２に対する各足部４ａ，４ｂ，４ｃ，４ｄの垂直方向の傾斜角を測定し、測定した傾斜角の情報を演算部９に出力する。
【００３０】
そして、演算部９は、エンコーダ７ａ，７ｂ，７ｃ，７ｄから出力された筐体２に対する足４ａ，４ｂ，４ｃ，４ｄの垂直方向における傾斜角の情報と、既値である各足部４ａ，４ｂ，４ｃ，４ｄの長さとの正弦関係から、各足部４ａ，４ｂ，４ｃ，４ｄと筐体２との各高さの値を算出する。
【００３１】
次に、演算部９は、算出された各高さの値のうち、高さが一番小さい値（各足部４ａ，４ｂ，４ｃ，４ｄの先端４ｅが設置面から一番高い位置にある場合の値）を基準として、高さが一番小さい値と各高さの値との差分を計算して、演算部９によって計算された各差分を、各表示部１０ａ，１０ｂ，１０ｃ，１０ｄのうち、高さが一番小さい値の足以外の足部の差分を表示する三つの表示部に出力する。三つの表示部は、各足部のそれぞれの差分をデジタル表示する。各表示部１０ａ，１０ｂ，１０ｃ，１０ｄのうち三つの表示部にデジタル表示された各差分（数値）に対応して、高さが一番小さい値を有する足部以外の足部に、適宜厚みの異なる又は同じ厚みの複数枚の金属板Ｐを重ね合わせるようにする。
【００３２】
以上のように、本実施形態にかかる水平度計測器１は、水平に配置される筐体２と、該筐体２の下面２ｂに回転自在に取り付けられ、同じ長さに形成された四本の足部４ａ，４ｂ，４ｃ，４ｄと、筐体２に対する各足部４ａ，４ｂ，４ｃ，４ｄの垂直方向の傾斜角を検出するための検出部としてのエンコーダ７ａ，７ｂ，７ｃ，７ｄと、前記傾斜角と各足部４ａ，４ｂ，４ｃ，４ｄの長さとの関係から、各足部４ａ，４ｂ，４ｃ，４ｄの先端４ｅと筐体２との高さの値を算出し、算出した各高さの値の差分を計算するための演算部９と、該演算部９によって計算された結果を表示するための表示部１０ａ，１０ｂ，１０ｃ，１０ｄと、を備える。
【００３３】
上記構成の水平度計測器１によれば、水平に配置された筐体２の下面２ｂに取り付けられ、同じ長さになるように形成された四本の足部４ａ，４ｂ，４ｃ，４ｄを垂直方向又は水平方向に回転させて、各足部４ａ，４ｂ，４ｃ，４ｄの先端４ｅを設置面に載置することで、エンコーダ７ａ，７ｂ，７ｃ，７ｄが筐体２に対する各足部４ａ，４ｂ，４ｃ，４ｄの垂直方向の傾斜角を検出して演算部９に出力し、演算部９が傾斜角と各足部４ａ，４ｂ，４ｃ，４ｄの長さとの関係から、各足部４ａ，４ｂ，４ｃ，４ｄの先端４ｅと筐体２との高さの値を算出し、ある高さの値の足部を基準として、それ以外の足部との高さの値の差分を計算する。各表示部１０ａ，１０ｂ，１０ｃ，１０ｄが、演算部９によって計算された結果を表示する。表示結果に基づいて、各足部４ａ，４ｂ，４ｃ，４ｄの先端４ｅに、適宜異なる厚さ又は同じ厚さの金属板を重ね合わせることで、機器を設置面に設置する。このような構成によって、機器を設置面に水平に設置するために、長年の経験を必要とせず、また、目測で水準器の角度を変えながら機器と設置面との高さを測定し、必要な種類と枚数の金属板を組み合わせて施設する試行を繰り返す必要がない。これにより、機器を設置環境の設置面に対して容易にかつ精度良く水平に設置することができる。
【００３４】
（第二実施形態）
次に、本発明の第二実施形態にかかる水平度計測器２１の構成について、添付図面を参照して説明する。なお、第一実施形態にかかる水平度計測器１と同一の構成については、説明を省略する。
【００３５】
すなわち、水平度計測器２１においては、本発明の第一実施形態にかかる水平度計測器１におけるヒンジ部５ａ，５ｂ，５ｃ，５ｄ、プレート部６ａ，６ｂ，６ｃ，６ｄ、エンコーダ７ａ，７ｂ，７ｃ，７ｄ、第二紐体８ａ，８ｂ，８ｃ，８ｄ、演算部９、表示部１０ａ，１０ｂ，１０ｃ，１０ｄ、スタートボタン１１、及びスリット部１２ａ、１２ｂ、１２ｃ、１２ｄと同様の構成をなすようにしている。
【００３６】
本実施形態にかかる水平度計測器２１は、図４に示すように、水平に配置される筐体２２と、筐体２２の上面２２ａに設けられた水準器２３と、筐体２２の下面２ｂに回転自在に取り付けられた四本の足部２４，２４，２４，２４と、を備える。なお、水準器２３としては、気泡管水準器、レーザー水準器、デジタル式水準器などが挙げられるが、これに限定されない。本実施形態では、気泡管水準器を用いている。
【００３７】
四本の足部２４，２４，２４，２４は、筐体２２の下面２２ｂにヒンジ部５ａ，５ｂ，５ｃ，５ｄを介して回転可能に支持された第一部分２４ａ，２４ａ，２４ａ，２４ａと、該第一部分２４ａ，２４ａ，２４ａ，２４ａに伸縮自在に接続された第二部分２４ｂ，２４ｂ，２４ｂ，２４ｂと、を備える。また、各足部２４は、同じ長さになるように形成されている。
【００３８】
足部２４は、図５に示すように、第一部分２４ａ又は第二部分２４ｂの何れか一方に設けられたピニオン部２６と、該ピニオン部２６と噛合することで第二部分２４ｂを第一部分２４ａに対して伸縮させるためのラック部２８とを備える。本実施形態においては、ラック部２８は、第一部分２４ａの内面に沿設されていると共に、ピニオン部２６は、第二部分２４ｂの第一部分２４ａ側一端に取り付けられた軸部２５を介して回転軸２７に軸支されている。ピニオン部２６が回転軸２７を中心としてラック部２８上を往復動することで、第二部分２４ｂが第一部分２４ａに対して伸縮するようになる。
【００３９】
ピニオン部２６を軸支する回転軸２７には、第一実施形態にかかる水平度計測器１の上記エンコーダ７ａ，７ｂ，７ｃ，７ｄと同様のエンコーダ（図示しない）が設けられ、ピニオン部２６が足部２４の第二部分２４ｂの移動に伴って回転する回転量をエンコーダが検出し、かかる足部２４の第一部分２４ａに対する第二部分２４ｂの移動量を検出した上で、検出した移動量の値を足部２４の長さ情報に変換して演算部９に出力する。
【００４０】
次に、機器を設置面に水平に設置すべく、機器と設置面とを固定する箇所へ金属板を施設するための方法について説明する。
【００４１】
本実施形態にかかる水平度計測器２１の設置方法においては、上記第一実施形態にかかる水平度計測器１の筐体２の重心を取った第一紐体３を手等で担持して、筐体２を水平に保持する代わりに、筐体２２を手等で担持しながら、目測で水準器２３を確認しつつ筐体２２を水平に保持する。また、各足部２４，２４，２４，２４の第二部分２４ｂ，２４ｂ，２４ｂ，２４ｂを第一部分２４ａ，２４ａ，２４ａ，２４ａに対して延出して、各足部２４，２４，２４，２４を設置面に載置する。なお、それ以外の手順については、第一実施形態と同様の内容であるため、説明を省略する。
【００４２】
以上のように、本実施形態にかかる水平度計測器２１は、水準器２３と、各足部２４，２４，２４，２４の第一部分２４ａ，２４ａ，２４ａ，２４ａ及び第二部分２４ｂ，２４ｂ，２４ｂ，２４ｂ、第一部分２４ａ，２４ａ，２４ａ，２４ａに設けられたラック部２６、及び第二部分２４ｂ，２４ｂ，２４ｂ，２４ｂに設けられたピニオン部２５以外は、第一実施形態にかかる水平度計測器１と同様の構成をなしている。
【００４３】
上記構成の水平度計測器２１によれば、機器を設置面に水平に設置するために、長年の経験を必要とせず、また、目測で水準器の角度を変えながら機器と設置面との高さを測定し、必要な種類と枚数の金属板を組み合わせて施設を繰り返す必要がない。これにより、機器を設置環境の設置面に対して容易にかつ精度良く水平に設置することができる。
【００４４】
また、足部２４，２４，２４，２４は、筐体２２に対して垂直方向又は水平方向に回転可能であると共に、伸縮自在に形成されている。このため、機器を設置する設置環境に応じて各足部２４，２４，２４，２４を伸縮させることで、多様な設置環境に対応することが可能となり、機器を水平に設置することができる環境を増加させることができる。
【００４５】
なお、本発明は、上記第一実施形態及び第二実施形態に限定されるものではなく、本発明の要旨を逸脱しない範囲で適宜変更し得ることは勿論のことである。
【００４６】
上記第一実施形態において、筐体２を水平に保持するために、筐体２の重心を取るように上面２ａの中心Ｏの位置に取り付けられた水平保持手段としての第一紐体３を用いたが、これに限定されず、要は、水平保持手段は、筐体２の上面２ａの中心Ｏの位置に取り付けられ、手等で担持するようにして、筐体２を水平に保持できるような構成であればよい。
【００４７】
上記第一実施形態において、筐体２の重心を取るように上面２ａの中心Ｏの位置に取り付けられた第一紐体３を手等で担持して、筐体２を水平に保持するようにしたが、これに限定されず、例えば、筐体２を手等で担持しながら、筐体２の上面２ａ等に設けられた水準器を用いて筐体２を水平に保持するようにしてもよい。要は、筐体２を水平に配置できるような構成であればよい。
【００４８】
上記第一実施形態において、足部４ａ，４ｂ，４ｃ，４ｄの長さが所定の値になるように形成されているが、これに限定されず、例えば、上記第二実施形態の足部２４，２４，２４，２４のように、伸縮自在となるように形成されてもよい。なお、足部２４，２４，２４，２４を伸縮させる構成については、ラック及びピニオン以外の構成であってもよいことは言うまでもない。
【００４９】
上記第二実施形態において、筐体２２の上面２２ａに設けられた水準器２３を用いて筐体２１を水平に保持するようにしたが、これに限定されず、例えば、上記第一実施形態のように、筐体２２の上面２２ａの中心Ｏの位置に取り付けられた紐体等を手で担持して、筐体２を水平に保持するようにしてもよい。
【００５０】
上記第二実施形態において、各足部２４の各第一部分２４ａにラック部２８を設けると共に、各足部２４の各第二部分２４ｂにピニオン部２７を設けるようにしたが、これに限定されず、例えば、各足部２４の各第二部分２４ｂにラック部２８を設けると共に、各足部２４の各第一部分２４ａにピニオン部２７を設けるようにしてもよい。要は、各足部２４の各第二部分２４ｂが各足部２４の各第一部分２４ａに対して伸縮自在となるように形成されればよい。
【００５１】
上記第二実施形態において、各足部２４が伸縮自在となるように形成されているが、これに限定されず、例えば、上記第一実施形態のように、各足部２４の長さが所定の値になるように形成されてもよい。
【００５２】
上記第一実施形態及び第二実施形態において、エンコーダ７ａ，７ｂ，７ｃ，７ｄが、各足部４ａ，４ｂ，４ｃ，４ｄ、及び各足部２４の垂直方向又は水平方向の移動に伴って、エンコーダ７ａ，７ｂ，７ｃ，７ｄから引き出された紐体８ａ，８ｂ，８ｃ，８ｄの引き出し量から、各足部４ａ，４ｂ，４ｃ，４ｄ、及び各足部２４と筐体２との垂直方向の傾斜角を測定し、その情報を演算部９に出力するようにしたが、これに限定されず、例えば、エンコーダ７ａ，７ｂ，７ｃ，７ｄの代わりに、紐体８ａ，８ｂ，８ｃ，８ｄの引き出し量を、光学センサ等の検出手段を用いて、各足部４ａ，４ｂ，４ｃ，４ｄ，及び２４と筐体２との垂直方向の傾斜角を測定し、その情報を演算部９に出力するようにしてもよい。
【００５３】
上記第一実施形及び第二実施形態において、エンコーダ７ａ，７ｂ，７ｃ，７ｄが、各足部４ａ，４ｂ，４ｃ，４ｄ、及び各足部２４の垂直方向又は水平方向の移動に伴って、エンコーダ７ａ，７ｂ，７ｃ，７ｄから引き出された紐体８ａ，８ｂ，８ｃ，８ｄの引き出し量から、各足部４ａ，４ｂ，４ｃ，４ｄ、及び各足部２４と、筐体２との垂直方向の傾斜角を測定し、その情報を演算部９に出力するようにしたが、これに限定されず、例えば、エンコーダ７ａ，７ｂ，７ｃ，７ｄが、エンコーダ７ａ，７ｂ，７ｃ，７ｄから引き出された紐体８ａ，８ｂ，８ｃ，８ｄの引き出し量を把握して、その引き出し量の情報を演算部９に出力し、演算部９が、その情報に基づいて筐体２に対する各足４ａ，４ｂ，４ｃ，４ｄ及び各足部２４の垂直方向の傾斜角と、各足部４ａ，４ｂ，４ｃ，４ｄ及び各足部２４の長さとの正弦関数を用いて、各足部４ａ，４ｂ，４ｃ，４ｄ及び各足部２４と筐体２との各高さの値（各足部４ａ，４ｂ，４ｃ，４ｄの先端４ｅ及び各足部２４の先端から筐体２の下面２ｂまでの距離）を算出するようにしてもよい。
【符号の説明】
【００５４】
１，２１…水平度計測器、２，２２…機器本体（筐体）、２ａ…上面、２ｂ…下面、３…第一紐体、４ａ，４ｂ，４ｃ，４ｄ，２４…足部、５ａ，５ｂ，５ｃ，５ｄ…ヒンジ部、６ａ，６ｂ，６ｃ，６ｄ…プレート部、７ａ，７ｂ，７ｃ，７ｄ…エンコーダ、８ａ，８ｂ，８ｃ，８ｄ…第二紐体、９…演算部、１０ａ，１０ｂ，１０ｃ，１０ｄ…表示部、１１…スタートボタン、１２ａ、１２ｂ、１２ｃ、１２ｄ…スリット部、２３…水準器、２５…軸部、２６…ピニオン部、２７…回転軸、２８…ラック部。
【図１】
2012088143.tif 000003
【図２】
2012088143.tif 000004
【図３】
2012088143.tif 000005
【図４】
2012088143.tif 000006
【図５】
2012088143.tif 000007